(57)【要約】【課　　題】湖沼の水面に浮かせて設置される遮光体を、風や自然水流などの自然要因ではなく、人為的乃至は強制的に移動できるように設置し、前記遮光体が風や自然水流などの自然要因により移動するのを戻したり、或は、所望位置の水面上に位置付ける遮光方法を提供すること。【解決手段】湖沼１の水面Ｗｆに浮かせて配置された遮光体５を、力学的手段により随意に水面Ｗｆ上を移動させること。【選択図】　　図１
2004016910.tif 000002
【特許請求の範囲】
【請求項１】
湖沼の水面に浮かせて配置された遮光体を、力学的手段により随意に水面上を移動させることを特徴とする湖沼水面の遮光方法。
【請求項２】
力学的手段は、水面上に浮いた遮光体に、それを移動させたい方向に作用する機械力、又は、人為的に形成される流体力である請求項１の湖沼水面の遮光方法。
【請求項３】
機械力は、湖沼の対岸等に対向設置した巻上機などに連繋された索を水面上の遮光体に連結し、この索を一方の岸又は対岸の巻上機などに巻上げて走行させることにより前記遮光体に伝動し、前記索の走行方向に遮光体を移動させる請求項２の湖沼水面の遮光方法。
【請求項４】
流体力は、湖沼の対岸に噴水管又は噴気管を対向設置し、噴水管から噴出される噴水流、又は、噴気管から噴出される噴気流により、前記遮光体を水面上で移動させる請求項２の湖沼水面の遮光方法。
【発明の詳細な説明】
【０００１】
【発明の属する技術分野】
本発明は、池，沼，湖，プールなど（以下、単に「湖沼」という）の水面の局部的な遮光を効果的に行う遮光方法に関する。
【０００２】
【従来の技術】
本発明の発明者は、湖沼の水質悪化の原因の一つであるアオコ等の藻類の成長，増殖を阻止する方法として、特開平１０−１６５９７３号、同１１−１２８９６３号に開示した湖沼水面の局部的遮光方法を提案している。
【０００３】
この方法は、遮光体を湖沼の水面に浮かせて設置し、当該遮光体の下に生息するアオコ等の藻類へ太陽光が到達するのを強制的に遮断する方法であるが、改善すべき点のあることが判った。
【０００４】
即ち、上記方法は湖沼の広い水面の一部を遮光体で覆う手法であるため、設置した遮光体は風や自然水流などで流されるが、遮光体がこのように湖沼の水面上漂流すると、水中に浮遊して生息しているアオコ等の浮遊性藻類に対しては、その藻類も上記遮光体と同様に風や水流によって移動するので、前記遮光体による遮光効果が得られるものの、風や自然水流によって移動することのないベントスなどの付着性又は沈着性の着性藻類に対しては遮光効果が得にくい、或は、得られないという点である。
【０００５】
【発明が解決しようとする課題】
そこで本発明では、湖沼の水面に浮かせて設置される遮光体を、風や自然水流などの自然要因ではなく、人為的乃至は強制的に移動できるように設置し、前記遮光体が風や自然水流などの自然要因により移動するのを戻したり、或は、所望位置の水面上に位置付ける遮光方法を提供することを、その課題とするものである。
【０００６】
【課題を解決するための手段】
上記課題を解決することを目的としてなされた本発明遮光方法の構成は、湖沼の水面に浮かせて配置された遮光体を、力学的手段により随意に水面上を移動させることを特徴とするものである。
【０００７】
本発明方法における上記の力学的手段は、水面上に浮いた遮光体に、それを移動させたい方向に作用する機械力、又は、人為的に形成される流体力である。機械力としては、一例として、湖沼の対岸等に対向設置した巻上機の索を水面上の遮光体に連結し、この索を一方の岸又は対岸の巻上機に巻上げさせることにより前記遮光体に伝動するように形成し、前記索の巻上げによる走行方向に遮光体を移動させる。また、流体力としては、湖沼の対岸に噴水管又は噴気管を対向設置し、噴水管から噴出される噴水流、又は、噴気管から噴出される噴気流を利用し、これにより前記遮光体を水面上で移動させる。
【０００８】
本発明方法において、上記遮光体の移動は、定期的に実行し、遮光体を設置した湖沼の全水面が所定期間の間に、一定期間中は遮光状態が保持されるようにして移動させる。遮光体に上記のような定期的な移動形態を採らせることにより、湖沼の水中に広範囲に生息しているアオコ等の浮遊性藻類は勿論のこと、湖沼の底や壁に付着又は沈着している着性藻類の成長，増殖の抑制乃至は阻止を、水面に局部的に設置した狭い面積の遮光体によって効果的に実現することが可能になる。
【０００９】
【発明の実施の形態】
次に、本発明方法の実施の形態例について、図に拠り説明する。図は本発明方法の実施状況を模式的に示したもので、図１は湖沼の水面に設置した遮光体を機械力によって移動させる例を模式的に示した断面図、図２は遮光体を噴水流によって移動させる例を模式的に示した断面図、図３は遮光体を噴気流によって移動させる例を模式的に示した断面図である。
【００１０】
図１において、１は模式的に表わした湖沼、２はその湖沼１の水、３は前記湖沼１の水面下の底４などに沈着乃至は付着している藻類（なお、アオコ等の浮遊性藻類の図示は省略している）、５は前記水２の水面Ｗｆに浮かせて設置した遮光体で、この遮光体５は、一枚タイプ、或は、小形遮光体の複数個を集合した形態のもののいずれであってもよい。
【００１１】
上記遮光体５を水面Ｗｆに浮かせて設置しているだけであると、風や自然水流などによって遮光体５が風下或は下流側に流されて、水面Ｗｆ上の特定場所に偏在することとなり、移動しない着性藻類３に対しては所期の遮光効果が得られず、従って、着性藻類の成長抑制に効果的でないことは、先に述べた通りである。
【００１２】
そこで、図１の例の本発明方法では、遮光体５に切れた環状索６の両端６ａ，６ｂを連結すると共に、この索６の中間部分を湖沼１の左右の対岸に対向設置したプーリ７ａ，７ｂに掛け回し、一方のプーリ、ここではプーリ７ａを駆動モータ８によって正転、又は逆転させることにより、前記索６を図の左方又は右方へ走行させ、これによってこの索６の両端６ａ，６ｂに連結されている遮光体５を水面Ｗｆの上を左，右に随意に移動させ、移動地点において所定の時間（期間）静止させるようにした。これによって湖沼水面の全域を、藻類の生育，増殖には不十分な光量に制御することが可能になる。
【００１３】
図１の例において、湖沼１の左，右の岸に設けたプーリ７ａ，７ｂを巻上機とすれば、索６は環状である必要はなく、左右の巻上機の巻上胴から夫々に繰出された２本の索の先端を遮光体５に連結すれば良い。
【００１４】
上記例は、湖沼１の左右の対岸から水面Ｗｆの上に配置した遮光体５を左，右に移動させるモデル例であるから、天然の不定形の湖沼を対象とする場合には、前記プーリ７ａ，７ｂやモータ８を岸に沿って移動可能に設置し、遮光体５の移動方向を、その湖沼の地形などに合った形に設定することができる。
【００１５】
図２は、遮光体５を、図１の例の機械力に代えて、噴水流の力によって移動させるようにした本発明方法のモデル例である。このため、図２の例では湖沼１の左右の対岸に対向させて水面Ｗｆの上にシャワー状の水Ｓｗを噴出させることが出来る噴水管９，１０を設け、いずれか一方の噴水管９又は１０から水面Ｗｆに対して鋭角な仰角でシャワー状の水Ｓｗを噴出させることにより、その噴水流によって遮光体５を移動させるようにした。
【００１６】
図２の例においても、湖沼１に対する噴水管９，１０の設置位置、或は、その設置位置の移動を可能にするかどうかは、図１の例の場合と同様に、任意である。
【００１７】
図３は、図２の例の噴水流による遮光体５の移動に代え、噴気流によって遮光体５を移動させるようにしたモデル例である。このため、図３の例では、左右の対岸の水中に噴気管１１，１２を設置し、いずれか一方の噴気管１１又は１２から気体（気泡）Ｂｊを噴出させることにより、その噴気流によって遮光体５を反対側へ移動させるようにしている。
【００１８】
水中に設置される噴気管１１，１２からの気泡Ｂｊの噴出方向は、水面Ｗｆに対して適宜の傾斜角を付けることにより、噴気（気泡Ｂｊ）による流れが形成されるようにする。また、上記噴気管１１，１２の設置位置やその位置の変更をできるようにするかどうかは、上記の噴水管９，１０の場合と同様、任意である。
【００１９】
【発明の効果】
本発明遮光方法は以上の通りであって、湖沼の水面を局部的に覆うように設置される浮遊タイプの遮光体を、力学的手段によって随意に水面上を移動させるようにしたので、風や自然水流によって湖沼水面上の特定場所に偏在しやすかった遮光体を遮光が必要な所望の場所に随意に移動させて位置付けることが可能になる。
【００２０】
従って、本発明方法によれば、湖沼水面を局部的に遮光する遮光体により、アオコ等の浮遊性藻類からベントス等の着性藻類までの藻類に対して、それらの成長増殖の抑制乃至は阻止を、所期の狙い通りにて実現することが可能になる。
【図面の簡単な説明】
【図１】湖沼の水面に設置した遮光体を機械力によって移動させる例を模式的に示した断面図。
【図２】遮光体を噴水流によって移動させる例を模式的に示した断面図。
【図３】遮光体を噴気流によって移動させる例を模式的に示した断面図。
【符号の説明】
１　　　　湖沼
２　　　　水
３　　　　藻類
４　　　　底
５　　　　遮光体
６　　　　環状索
７ａ，７ｂ　　プーリ
８　　　　駆動モータ
９，１０　　噴水管
１１，１２　　噴気管
Ｗｆ　　　　水面
Ｓｗ　　　　シャワー状の水
Ｂｊ　　　　気体（気泡）
【図１】
2004016910.tif 000003
【図２】
2004016910.tif 000004
【図３】
2004016910.tif 000005